(57)【特許請求の範囲】
【請求項１】
太陽電池の出力を入力とする第１のＤＣ−ＤＣコンバータと、
前記第１のＤＣ−ＤＣコンバータの出力を入力とする蓄電池と、
前記蓄電池の電圧を変換する第２のＤＣ−ＤＣコンバータと、
前記蓄電池が所定の充電状態以上になった場合に、前記第１のＤＣ−ＤＣコンバータのデューティ比を変化させて前記太陽電池の動作点を最大電力点からずらすとともに、前記第２のＤＣ−ＤＣコンバータのデューティ比を変化させて前記太陽電池の動作点を最大電力点とする制御部と、
を有する太陽光発電装置。
【請求項２】
前記制御部は、前記蓄電池が所定の充電状態以上になった場合に、前記蓄電池が充電されないように制御する、
請求項１に記載の太陽光発電装置。
【請求項３】
前記制御部は、前記蓄電池の電圧と閾値電圧とを比較することにより、前記蓄電池が所定の充電状態以上になったと判断する、
請求項１又は２に記載の太陽光発電装置。
【請求項４】
前記制御部は、前記蓄電池の電圧が閾値電圧以上になった場合に、前記蓄電池が所定の充電状態以上になったと判断する、
請求項１又は２に記載の太陽光発電装置。
【請求項５】
太陽電池の動作点を最大電力点とするように制御する太陽光発電装置の制御方法であって、
前記太陽電池で発電した電力を貯蔵する蓄電池の充電状態を監視する工程と、
前記蓄電池が所定の充電状態以上になった場合に、前記太陽電池の出力を入力とする第１のＤＣ−ＤＣコンバータのデューティ比を変化させて前記太陽電池の動作点を最大電力点からずらすとともに、前記蓄電池の電圧を変換する第２のＤＣ−ＤＣコンバータのデューティ比を変化させて前記太陽電池の動作点を最大電力点とする工程と、
前記蓄電池が所定の充電状態未満になった場合に、前記第１のＤＣ−ＤＣコンバータのデューティ比を変化させて前記太陽電池の動作点を最大電力点とする工程と、
を有する太陽光発電装置の制御方法。
【請求項６】
前記第１のＤＣ−ＤＣコンバータのデューティ比を変化させて前記太陽電池の動作点を最大電力点からずらすとともに、前記第２のＤＣ−ＤＣコンバータのデューティ比を変化させて前記太陽電池の動作点を最大電力点とした後、
前記蓄電池が所定の充電状態未満になった場合に、前記第１のＤＣ−ＤＣコンバータのデューティ比を変化させて前記太陽電池の動作点を最大電力点とする、
請求項５に記載の太陽光発電装置の制御方法。
【発明の詳細な説明】
【技術分野】
【０００１】
本発明は、太陽光発電装置及び太陽光発電装置の制御方法に関する。
【背景技術】
【０００２】
太陽電池の最大電力点を追尾するようにコンバータのデューティ比を制御し、蓄電池が満充電に近づいた場合に、太陽電池の動作点を最大電力点から開放電圧側にずらすようにコンバータのデューティ比を制御する技術が知られている（例えば、特許文献１参照）。
【先行技術文献】
【特許文献】
【０００３】
【特許文献１】特開平６−３２４７５２号公報
【発明の概要】
【発明が解決しようとする課題】
【０００４】
しかしながら、上述の従来技術においては、蓄電池が満充電に近づいたときに、太陽電池の動作点が最大電力点からずれることになるため、太陽電池を最大電力点で動作させることできない。
【０００５】
そこで、本発明の一つの案では、蓄電池が所定の充電状態以上となった場合でも、太陽電池の動作点を最大電力点に調整することができる太陽光発電装置を提供することを目的とする。
【課題を解決するための手段】
【０００６】
一つの案では、太陽電池の出力を入力とする第１のＤＣ−ＤＣコンバータと、第１のＤＣ−ＤＣコンバータの出力を入力とする蓄電池と、蓄電池の電圧を変換する第２のＤＣ−ＤＣコンバータと、蓄電池が所定の充電状態以上になった場合に、第１のＤＣ−ＤＣコンバータのデューティ比を変化させて太陽電池の動作点を最大電力点からずらすとともに、第２のＤＣ−ＤＣコンバータのデューティ比を変化させて太陽電池の動作点を最大電力点とする制御部と、を有する太陽光発電装置が提供される。
【発明の効果】
【０００７】
一態様によれば、蓄電池が所定の充電状態以上となった場合でも、太陽電池の動作点を最大電力点に調整することができる太陽光発電装置を提供できる。
【図面の簡単な説明】
【０００８】
【図１】一実施形態に係る太陽光発電装置の構成を示すブロック図である。
【図２】一実施形態に係る太陽光発電装置の制御方法を示す概略図である
【図３】ＤＣ−ＤＣコンバータの一例を示す回路図である。
【図４】ＤＣ−ＤＣコンバータの他の例を示す回路図である。
【発明を実施するための形態】
【０００９】
以下、本発明の実施形態について添付の図面を参照しながら説明する。なお、本明細書及び図面において、実質的に同一の機能構成を有する構成要素については、同一の符号を付することにより重複した説明を省く。
【００１０】
（太陽光発電装置１の構成）
以下、図１を参照しながら、一実施形態に係る太陽光発電装置１の構成を説明する。
【００１１】
太陽光発電装置１は、図１に示すように、太陽電池１００、第１のＤＣ−ＤＣコンバータ２００、第２のＤＣ−ＤＣコンバータ３００、蓄電池４００、制御部６００及び記憶部７００と、を有する。
【００１２】
また、太陽光発電装置１は、回路の各部における電流及び電圧を計測するための電流検出手段１０ａ、１０ｂ、１０ｃ、１０ｄ及び電圧検出手段１１ａ、１１ｂ、１１ｃ、１１ｄを有する。なお、電流検出手段１０ａ、１０ｂ、１０ｃ、１０ｄは、例えば、電流センサや電流計等を用いることができる。また、電圧検出手段１１ａ、１１ｂ、１１ｃ、１１ｄは、例えば、電圧センサや電流計等を用いることができる。
【００１３】
太陽光発電装置１の出力端には、補助蓄電池５１０及び負荷５２０を含む電力消費部５００が接続されている。
【００１４】
図１において、Ｖｉｎ１は、太陽電池１００の出力電圧又は第１のＤＣ−ＤＣコンバータ２００の入力電圧を表す。Ｉｉｎ１は、太陽電池１００の出力電流又は第１のＤＣ−ＤＣコンバータ２００の入力電流を表す。Ｖｏｕｔ１、Ｉｏｕｔ１は、各々、第１のＤＣ−ＤＣコンバータ２００の出力電圧、出力電流を表す。Ｉｉｎ２は、第２のＤＣ−ＤＣコンバータ３００の入力電流を表す。Ｖｏｕｔ２、Ｉｏｕｔ２は、各々、第２のＤＣ−ＤＣコンバータ３００の出力電圧、出力電流を表す。Ｅ１は、蓄電池４００の電圧を表す。
【００１５】
太陽電池１００は、太陽光などの光の照射を受けてその光エネルギーを電気エネルギーに変える半導体装置であり、その種類は限定されず、例えば、太陽電池モジュール、太陽電池パネル、太陽電池アレイ等を用いることができる。
【００１６】
第１のＤＣ−ＤＣコンバータ２００は、太陽電池１００の出力電圧Ｖｉｎ１を昇降圧する直流電圧変換器であり、太陽電池１００と蓄電池４００との間に直列に設けられている。
【００１７】
また、第１のＤＣ−ＤＣコンバータ２００は、最大電力点追従（ＭＰＰＴ：Maximum Power Point Tracking）モード及び定電圧出力モードの２つの駆動モードを備えている。ＭＰＰＴモードは、太陽電池１００の動作点が最大電力点（ＭＰＰ：Maximum Power Point）となるように駆動するモードである。定電圧出力モードは、変動する太陽電池１００の出力電圧Ｖｉｎ１に対して一定の電圧を出力するように駆動するモードである。
【００１８】
なお、第１のＤＣ−ＤＣコンバータ２００の駆動モードは、後述する制御部６００からの指令によって、ＭＰＰＴモード又は定電圧出力モードが選択される。
【００１９】
第２のＤＣ−ＤＣコンバータ３００は、第１のＤＣ−ＤＣコンバータ２００又は蓄電池４００の出力電圧を昇降圧する直流電圧変換器であり、蓄電池４００と電力消費部５００との間に直列に設けられている。
【００２０】
また、第２のＤＣ−ＤＣコンバータ３００は、ＭＰＰＴモード及び定電圧出力モードの２つの駆動モードを備えている。ＭＰＰＴモードは、太陽電池１００の動作点がＭＰＰとなるように駆動するモードである。定電圧出力モードは、変動する第１のＤＣ−ＤＣコンバータ２００又は蓄電池４００の出力電圧に対して一定の電圧を出力するように駆動するモードである。
【００２１】
なお、第２のＤＣ−ＤＣコンバータ３００の駆動モードは、後述する制御部６００からの指令によって、ＭＰＰＴモード又は定電圧出力モードが選択される。
【００２２】
蓄電池４００は、太陽電池１００で発電した電力を貯蔵（蓄電）し、必要に応じて放電することで、電力消費部５００に電力を供給する。なお、蓄電池４００の種類は、特に限定されず、例えば、鉛蓄電池、ＮａＳ電池、ニッケル水素電池、リチウムイオン電池等のバッテリや、リチウムイオンキャパシタ、電気二重層キャパシタ等のキャパシタを用いることができる。
【００２３】
制御部６００は、例えば、マイクロコンピュータを含み、電流検出手段により計測される電流及び電圧検出手段により計測される電圧を取得し、取得した電流及び電圧を記憶部７００に記憶する。また、制御部６００は、取得した電流及び電圧を用いて演算を行うとともに、演算結果を記憶部７００に記憶する。
【００２４】
また、制御部６００は、取得した電流及び電圧に基づいて、蓄電池４００の充電状態を監視し、蓄電池４００の充電状態に応じて第１のＤＣ−ＤＣコンバータ２００及び第２のＤＣ−ＤＣコンバータ３００の駆動モードを選択する。
【００２５】
記憶部７００は、予め設定された蓄電池４００の閾値電圧Ｅｔｈ、制御部６００により取得される電流、電圧及びこれらの演算値等を記憶する。記憶部７００は、例えば、半導体メモリ、磁気ディスク、または光学ディスク等を用いることができる。
【００２６】
電力消費部５００は、例えば、補助蓄電池５１０及び負荷５２０を含む。
【００２７】
補助蓄電池５１０は、太陽光発電装置１の第２のＤＣ−ＤＣコンバータ３００から出力される電力を蓄電し、必要に応じて放電をすることで、負荷５２０に電力を供給する。
【００２８】
負荷５２０は、太陽光発電装置１の第２のＤＣ−ＤＣコンバータ３００から出力される電力及び補助蓄電池５１０から供給される電力を消費する機器である。負荷５２０は、例えば、直流駆動型機器又は直流を交流に変換するインバータと交流電力で運転される交流駆動型機器等を用いることができる。
【００２９】
（太陽光発電装置１の動作）
次に、上述した太陽光発電装置１の動作について、図１から図４を参照しながら説明する。
【００３０】
図２は、一実施形態に係る太陽光発電装置１の制御方法を示す概略図である。
【００３１】
本実施形態に係る太陽光発電装置１の制御方法は、蓄電池４００の充電状態を監視する工程と、蓄電池４００が所定の充電状態以上になった場合に、第１のＤＣ−ＤＣコンバータ２００のデューティ比を変化させて太陽電池１００の動作点を最大電力点からずらすとともに、第２のＤＣ−ＤＣコンバータ３００のデューティ比を変化させて太陽電池１００の動作点を最大電力点とする工程と、蓄電池４００が所定の充電状態未満になった場合に、第１のＤＣ−ＤＣコンバータ２００のデューティ比を変化させて太陽電池１００の動作点を最大電力点とする工程と、を有する。
【００３２】
図２に示すように、制御部６００は、蓄電池４００の充電状態を監視し、蓄電池４００の充電状態に応じて、第１のＤＣ−ＤＣコンバータ２００及び第２のＤＣ−ＤＣコンバータ３００の駆動モードを遷移させる。
【００３３】
蓄電池４００が所定の充電状態以上になった場合（遷移条件Ａ）、制御部６００は、第１のＤＣ−ＤＣコンバータ２００のデューティ比Ｄ１を変化させて、太陽電池１００の動作点をＭＰＰからずらし、蓄電池４００が充電されないように制御する（定電圧出力モード）。
【００３４】
同時に、制御部６００は、第２のＤＣ−ＤＣコンバータ３００のデューティ比Ｄ２を変化させて太陽電池１００の動作点がＭＰＰとなるように制御する（ＭＰＰＴモード）。
【００３５】
なお、所定の充電状態は、ユーザが任意に設定することが可能であり、例えば、満充電状態であっても良く、８０％程度の部分充電状態であっても良い。
【００３６】
一方、蓄電池４００が所定の充電状態未満になった場合（遷移条件Ｂ）には、制御部６００は、第１のＤＣ−ＤＣコンバータ２００のデューティ比Ｄ１を変化させて、太陽電池１００の動作点がＭＰＰとなるように制御する（ＭＰＰＴモード）。
【００３７】
同時に、制御部６００は、第２のＤＣ−ＤＣコンバータ３００のデューティ比Ｄ２を変化させて、負荷５２０側へ一定電圧の電力を供給し、余剰電力を蓄電池４００に充電するように制御する（定電圧出力モード）。
【００３８】
以下、図１を参照しながら、太陽光発電装置１の動作を詳細に説明する。
【００３９】
先ず、制御部６００は、電圧検出手段１１ｃにより計測される蓄電池４００の電圧Ｅ１を取得し、記憶部７００に記憶させる。制御部６００は、蓄電池４００の電圧Ｅ１と予め記憶部７００に記憶されている閾値電圧Ｅｔｈとを比較し、Ｅ１＜Ｅｔｈ（閾値電圧未満）の場合には、以下の第１の状態Ｓ１の制御を行い、Ｅ１≧Ｅｔｈ（閾値電圧以上）の場合には、以下の第２の状態Ｓ２の制御を行う。
【００４０】
なお、第１の状態Ｓ１と第２の状態Ｓ２とは、蓄電池４００の充電状態に応じて、繰り返し行われても良い。
【００４１】
例えば、第１のＤＣ−ＤＣコンバータ２００のデューティ比を変化させて太陽電池１００の動作点を最大電力点からずらすとともに、第２のＤＣ−ＤＣコンバータ３００のデューティ比を変化させて太陽電池１００の動作点を最大電力点とした後、蓄電池４００が所定の充電状態未満になった場合に、第１のＤＣ−ＤＣコンバータ２００のデューティ比を変化させて太陽電池１００の動作点を最大電力点としても良い。
【００４２】
また、閾値電圧Ｅｔｈは、ユーザによって任意に設定されうる。閾値電圧Ｅｔｈは、好ましくは、蓄電池４００の満充電電圧Ｅｍａｘよりも低く設定されている。これにより、蓄電池４００は、満充電状態を超えないように（電圧Ｅ１が満充電電圧Ｅｍａｘを超えないように）制御され、過充電状態にならないように保護される。
【００４３】
［第１の状態Ｓ１］
先ず、制御部６００は、電圧検出手段１１ａにより計測される電圧Ｖｉｎ１ａ及び電流検出手段１０ａにより計測される電流Ｉｉｎ１ａを取得し、記憶部７００に記憶させる。
【００４４】
次に、制御部６００は、電圧Ｖｉｎ１ａと電流Ｉｉｎ１ａとを乗算して、電力Ｐｉｎ１aを算出し、記憶部７００に記憶させる。
【００４５】
次に、制御部６００は、電圧Ｖｉｎ１aより所定の値ΔＶだけ大きい電圧Ｖｉｎ１bとなるように第１のＤＣ−ＤＣコンバータ２００を駆動させ、電流Ｉｉｎ１ｂの計測と電力Ｐｉｎ１bの算出を行い、記憶部７００に記憶させる。
【００４６】
次に、制御部６００は、電力Ｐｉｎ１aとＰｉｎ１bとを比較し、Ｐｉｎ１aよりもＰｉｎ１bの方が大きい値であれば、電圧Ｖｉｎ１bより所定の値ΔＶだけ大きい電圧Ｖｉｎ１ｃに設定するように第１のＤＣ−ＤＣコンバータ２００を駆動させる。
【００４７】
一方、電力Ｐｉｎ１ａよりもＰｉｎ１ｂの方が小さい値の場合には、制御部６００は、電圧Ｖｉｎ１ｂより所定の値ΔＶだけ小さい電圧Ｖｉｎ１ａに設定するように第１のＤＣ−ＤＣコンバータ２００を駆動させる。
【００４８】
この一連の動作は、制御部６００により、第１のＤＣ−ＤＣコンバータ２００のデューティ比Ｄ１を可変することにより繰り返し実行され、太陽電池１００の動作点がＭＰＰとなる。
【００４９】
また、制御部６００は、第１のＤＣ−ＤＣコンバータ２００の制御と同時に、第２のＤＣ−ＤＣコンバータ３００の出力電圧Ｖｏｕｔ２が、電力消費部５００の目標電圧Ｖｏｕｔとなるように、第２のＤＣ−ＤＣコンバータ３００のデューティ比Ｄ２を決定する。
【００５０】
先ず、制御部６００は、電圧検出手段１１bにより計測される電圧Ｖｏｕｔ1を取得し、記憶部７００に記憶させる。また、制御部６００は、電圧Ｖｏｕｔ1と予め記憶部７００に記憶されている電力消費部５００側の目標電圧Ｖｏｕｔとを比較する。
【００５１】
電圧Ｖｏｕｔ1が目標電圧Ｖｏｕｔよりも小さい場合には、制御部６００は、電圧Ｖｏｕｔ1が目標電圧Ｖｏｕｔとなるように第２のＤＣ−ＤＣコンバータ３００を駆動させ、電圧Ｖｏｕｔ1を昇圧させる。一方、電圧Ｖｏｕｔ1が目標電圧Ｖｏｕｔよりも大きい場合には、制御部６００は、電圧Ｖｏｕｔ1を目標電圧Ｖｏｕｔとなるように第２のＤＣ−ＤＣコンバータ３００を駆動させ、電圧Ｖｏｕｔ１を降圧させる。
【００５２】
なお、第１のＤＣ−ＤＣコンバータ２００及び第２のＤＣ−ＤＣコンバータ３００は、特に限定されず、例えば、降圧型コンバータ、昇圧型コンバータ、昇降圧型コンバータ等を用いることができる。
【００５３】
図３は、降圧型コンバータの回路図の一例であり、スイッチＱが入力電圧Ｖｏｕｔ１に対して直列に配置されている。入力電圧Ｖｏｕｔ１は、スイッチＱとインダクタＬ及びキャパシタＣ２を含むローパスフィルタを通して出力に接続されている。
【００５４】
図４は、昇圧型コンバータの回路図の一例であり、インダクタＬが入力電圧Ｖｏｕｔ１に直列に配置されている。入力電圧Ｖｏｕｔ１は、インダクタＬとダイオードＤを通して出力に接続されている。
【００５５】
第２のＤＣ−ＤＣコンバータ３００として、例えば、図３に示す降圧型コンバータを用いた場合には、制御部６００は、デューティ比Ｄ２を、Ｄ２＝Ｖｏｕｔ／Ｖｏｕｔ１と設定することで、電圧Ｖｏｕｔ１が目標電圧Ｖｏｕｔとなるように制御できる。
【００５６】
また、第２のＤＣ−ＤＣコンバータ３００として、例えば、図４に示す昇圧型コンバータを用いた場合には、制御部６００は、デューティ比Ｄ２を、Ｄ２＝１−Ｖｏｕｔ１／Ｖｏｕｔと設定することで、電圧Ｖｏｕｔ１が目標電圧Ｖｏｕｔとなるように制御できる。
【００５７】
なお、第２のＤＣ−ＤＣコンバータ３００の定電圧出力モードにおける駆動は、これらに限定されるものではなく、当業者が選択したＤＣ−ＤＣコンバータの種類に応じて、任意に決定することができる。
【００５８】
［第２の状態Ｓ２］
次に、蓄電池４００に対する充電が進み、蓄電池４００の電圧Ｅ１が閾値電圧Ｅｔｈ以上（Ｅ１≧Ｅｔｈ）となり、蓄電池４００が所定の充電状態以上になった場合について説明する。
【００５９】
先ず、制御部６００は、電流検出手段１０ｂにより計測される電流Ｉｏｕｔ１及び電流検出手段１０ｃにより計測される電流Ｉｉｎ２を取得し、記憶部７００に記憶させる。また、制御部６００は、電流Ｉｏｕｔ１と電流Ｉｉｎ２とを用いて、蓄電池４００を流れる充電電流Ｉ１（＝Ｉｏｕｔ１−Ｉｉｎ２）を算出する。
【００６０】
次に、制御部６００は、充電電流Ｉ１が０となるようなＶｏｕｔ１を出力するように、第１のＤＣ−ＤＣコンバータ２００のデューティ比Ｄ１を制御する。これにより、蓄電池４００が所定の充電状態よりさらに充電されることを防止することができる。しかしながら、制御部６００は、第１のＤＣ−ＤＣコンバータ２００を用いて太陽電池１００をＭＰＰＴ制御することができない。
【００６１】
そこで、制御部６００は、電圧検出手段１１ａにより計測される電圧Ｖｉｎ１Ａ及び電流検出手段１０ａにより計測される電流Ｉｉｎ１Ａを取得し、記憶部７００に記憶させる。
【００６２】
次に、制御部６００は、電圧Ｖｉｎ１Ａと電流Ｉｉｎ１Ａとを乗算して、電力Ｐｉｎ１Ａを算出し、記憶部７００に記憶させる。
【００６３】
次に、制御部６００は、電圧Ｖｉｎ１Ａより所定の値ΔＶだけ大きい電圧Ｖｉｎ１Ｂとなるように第２のＤＣ−ＤＣコンバータ３００を駆動させ、電流Ｉｉｎ１Ｂの測定と電力Ｐｉｎ１Ｂの算出を行い、記憶部７００に記憶させる。
【００６４】
次に、制御部６００は、電力Ｐｉｎ１ＡとＰｉｎ１Ｂとを比較し、Ｐｉｎ１ＡよりもＰｉｎ１Ｂの方が大きい値であれば、電圧Ｖｉｎ１Ｂより所定の値ΔＶだけ大きい電圧Ｖｉｎ１Ｃとなるように第２のＤＣ−ＤＣコンバータ３００を駆動させる。
【００６５】
一方、記憶された電力Ｐｉｎ１ＡよりもＰｉｎ１Ｂの方が小さい値の場合には、電圧Ｖｉｎ１Ｂより所定の値ΔＶだけ小さい電圧Ｖｉｎ１Ａに設定するよう第２のＤＣ−ＤＣコンバータ３００を駆動させる。
【００６６】
この一連の動作は、制御部６００により、第２のＤＣ−ＤＣコンバータ３００のデューティ比Ｄ２を可変することにより繰り返し実行され、太陽電池１００の動作点がＭＰＰとなる。
【００６７】
また、制御部６００は、第１のＤＣ−ＤＣコンバータ２００の充電電流Ｉ１（Ｉｏｕｔ１−Ｉｉｎ２）を所定の時間間隔で取得する。
【００６８】
取得された充電電流Ｉ１が０より大きい値となった場合には、制御部６００は、第１のＤＣ−ＤＣコンバータ２００の出力電圧Ｖｏｕｔ１が、電圧Ｖｏｕｔ１より所定の値ΔＶだけ小さい電圧に設定するように第１のＤＣ−ＤＣコンバータ２００を駆動させる。
【００６９】
一方、充電電流Ｉ１が０より小さい値となった場合には、制御部６００は、第１のＤＣ−ＤＣコンバータ２００の出力電圧Ｖｏｕｔ１が、電圧Ｖｏｕｔ１より所定の値ΔＶだけ大きい電圧に設定するように第１のＤＣ−ＤＣコンバータ２００を駆動させる。
【００７０】
制御部６００は、所定の時間間隔で、上述の第１のＤＣ−ＤＣコンバータ２００の制御を行うことで、蓄電池４００が所定の充電状態よりさらに充電されることを防止する。
【００７１】
なお、この一連の動作は、制御部６００により、第１のＤＣ−ＤＣコンバータ２００のデューティ比Ｄ１を可変することにより実行される。
【００７２】
また、制御部６００が第１のＤＣ−ＤＣコンバータ２００の充電電流Ｉ１を取得する所定の時間間隔は、好ましくは、第２のＤＣ−ＤＣコンバータ３００のデューティ比Ｄ２を変化させる時間間隔と同期させるのが良い。
【００７３】
また、制御部６００は、電圧検出手段１１ｄにより計測される電圧Ｖｏｕｔ２及び電流検出手段１０ｄにより計測される電流Ｉｏｕｔ２を取得し、記憶部７００に記憶させる。制御部６００は、電圧Ｖｏｕｔ２及び電流Ｉｏｕｔ２により電力消費部５００に供給される電圧及び電流の情報を取得し、必要に応じて第２のＤＣ−ＤＣコンバータ３００のデューティ比Ｄ２を変化させても良い。
【００７４】
以上に説明したように、本実施形態に係る太陽光発電装置１及び太陽光発電装置１の制御方法によれば、蓄電池４００が所定の充電状態以上となった場合でも、太陽電池１００の動作点をＭＰＰに調整することができる。
【００７５】
以上、太陽光発電装置１及び太陽光発電装置１の制御方法を実施形態により説明したが、上記実施形態に限定されるものではなく、本発明の範囲内で種々の変形及び改良が可能である。
【００７６】
例えば、制御部６００による蓄電池４００の充電状態の判断方法として、蓄電池４００の電圧Ｅ１を計測し、計測した蓄電池４００の電圧Ｅ１と閾値電圧Ｅｔｈとを比較する形態を説明したが、これに限定されない。
【００７７】
例えば、蓄電池４００に電圧検出手段を設けずに、第１のＤＣ−ＤＣコンバータ２００の出力電圧Ｖｏｕｔ１と充電電流Ｉ１とから蓄電池４００の内部抵抗を算出し、内部抵抗と充電電流Ｉ１とから蓄電池４００の電圧Ｅ１を予測しても良い。また、例えば、第１のＤＣ−ＤＣコンバータ２００の出力電圧Ｖｏｕｔ１を蓄電池４００の電圧Ｅ１に代用しても良い。
【００７８】
また、ＤＣ−ＤＣコンバータのＭＰＰＴモードにおける動作として、山登り法を用いたが、これに限定されるものではなく、例えば、増分コンダクタンス法等、太陽電池１００のＭＰＰを追従できる動作であれば良い。
【００７９】
また、蓄電池４００と電力消費部５００との間に直列に設けられた一つの第２のＤＣ−ＤＣコンバータ３００を有する形態を説明したが、第２のＤＣ−ＤＣコンバータ３００の数はこれに限定されるものではない。
【００８０】
例えば、第２のＤＣ−ＤＣコンバータ３００は、並列に複数接続されていても良く、複数の第２のＤＣ−ＤＣコンバータ３００は、第２の状態Ｓ２にあるとき、少なくとも１つがＭＰＰＴモードで駆動していれば良い。この場合、目標電圧Ｖｏｕｔが異なる負荷５２０を複数接続することが可能となる。
【００８１】
また、第２のＤＣ−ＤＣコンバータ３００と同様に、第１のＤＣ−ＤＣコンバータ２００の数は、一つに限定されない。例えば、第１のＤＣ−ＤＣコンバータ２００は、並列に複数接続されていても良い。この場合、第１のＤＣ−ＤＣコンバータ２００毎に出力電圧の異なる太陽電池１００を複数接続することが可能となる。
【符号の説明】
【００８２】
１  太陽光発電装置
１００  太陽電池
２００  第１のＤＣ−ＤＣコンバータ
３００  第２のＤＣ−ＤＣコンバータ
４００  蓄電池
６００  制御部
【図１】
0005915619.tif 000002
【図２】
0005915619.tif 000003
【図３】
0005915619.tif 000004
【図４】
0005915619.tif 000005